(57)【要約】【課題】ハンドレール、ハンドレールを有するチャイルドキャリア、及びハンドレールを製造する方法を提供すること。【解決手段】  本発明は、ハンドレールを開示する。当該ハンドレールは、ハンドレール本体と、第１材料層と、第２材料層とを含む。第１材料層は、ハンドレール本体の第１側面上に配置される。第２材料層は、ハンドレール本体の第２側面上に配置され、第２材料層の２つの端は、第１材料層の２つの端にそれぞれ接続されて、ハンドレール本体を覆う。ハンドレール本体の両側面に配置され、共にハンドレール本体を覆う第１材料層及び第２材料層は、異なる手触り及び異なる審美的テクスチャを提供することができ、これによって、審美的外観及び機能性が高められる。さらに、本発明は、ハンドレールを有するチャイルドキャリアと、ハンドレールを製造する方法とをさらに開示する。【選択図】図２
2020117213.tif 000002
【特許請求の範囲】
【請求項１】
ハンドレール本体と、
前記ハンドレール本体の第１側面上に配置された第１材料層と、
前記ハンドレール本体の第２側面上に配置された第２材料層と、
を含むハンドレールであって、
前記第２材料層の２つの端が、第１材料層の２つの端にそれぞれ接続されて、前記ハンドレール本体を覆っている、ハンドレール。
【請求項２】
前記第１材料層は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料で作られている、請求項１に記載のハンドレール。
【請求項３】
前記第２材料層は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料で作られている、請求項１に記載のハンドレール。
【請求項４】
前記第１材料層と前記ハンドレール本体との間に配置されたフィラー層をさらに含む、請求項１に記載のハンドレール。
【請求項５】
前記フィラー層は、フォーム又はシリコーンゴムで作られている、請求項４に記載のハンドレール。
【請求項６】
前記ハンドレール本体は、支持部分と、前記支持部分の両端からそれぞれ曲げられた２つの接続部分とを含む、請求項１に記載のハンドレール。
【請求項７】
前記第１材料層は、前記接続部分と前記支持部分との接続部に位置する少なくとも１つのドレープ部分を含む、請求項６に記載のハンドレール。
【請求項８】
前記ドレープ部分は、ステッチを縫うことによって形成されている、請求項７に記載のハンドレール。
【請求項９】
請求項１乃至８のいずれか一項に記載のハンドレールを含む、チャイルドキャリア。
【請求項１０】
ハンドレールを製造する方法であって、
ハンドレールスリーブを形成するために第１材料層及び第２材料層を縫い合わせるステップと、
前記ハンドレールスリーブで前記ハンドレールのハンドレール本体を覆うステップと、
前記第１材料層及び前記第２材料層を、前記ハンドレール本体の第１側面及び第２側面にそれぞれ置くステップと、
を含む、方法。
【請求項１１】
前記第１材料層及び前記第２材料層を縫い合わせる前に、第１材料層の一側面上にフィラー層を縫うステップをさらに含む、請求項１０に記載の方法。
【請求項１２】
フォーム又はシリコーンゴムによって前記フィラー層を形成するステップをさらに含む、請求項１１に記載の方法。
【請求項１３】
レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料によって前記第１材料層を形成するステップをさらに含む、請求項１０に記載の方法。
【請求項１４】
レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料によって前記第２材料層を形成するステップをさらに含む、請求項１０に記載の方法。
【請求項１５】
支持部分と、前記支持部分の両端から曲げられた２つの接続部分とを含む前記ハンドレール本体を形成するステップをさらに含む、請求項１０に記載の方法。
【請求項１６】
前記接続部分と前記支持部分との接続部に位置する前記第１材料層の少なくとも１つのドレープ部分を形成するステップをさらに含む、請求項１５に記載の方法。
【請求項１７】
前記ドレープ部分を形成するために、前記第１材料層をステッチで縫うステップをさらに含む、請求項１６に記載の方法。
【請求項１８】
前記ハンドレールスリーブでハンドレールのハンドレール本体を覆うステップは、
前記ハンドレールスリーブを裏返しにひっくり返して、ひっくり返したハンドレールスリーブで前記ハンドレールのハンドレール本体を覆うことを含む、請求項１０に記載の方法。
【発明の詳細な説明】
【技術分野】
【０００１】
本発明は、子供向け製品に関し、特に、ハンドレール、ハンドレールを有するチャイルドキャリア、及びハンドレールを製造する方法に関する。
【背景技術】
【０００２】
社会の発展、経済の成長、及び技術の発達と共に、市販される消費財がますます増えて、人々の生活に利便性を与えている。例えば、チャイルドキャリアは、消費者向け製品の一つである。
【０００３】
市場には様々なチャイルドキャリアが存在することはよく知られている。例えば、動き周る又は移動する際に、手で子供を抱える代わりに、子供を運ぶために車輪付きのベビーカーを使用することは、親にとって一般的な方法である。ベビーカーは、親の負担を軽減するだけでなく、子供にとって快適で安全な座る環境も提供することができる。従って、ベビーカーは、ますます人気になってきている。ベビーカーは、フレーム構造を有する本体と、子供の安全を守るためのフェンスとして使用することができるだけでなく、さらに重要なことには、子供が持つことで、子供を支えることができるハンドレールとを含む。しかし、従来のハンドレールは、通常、金属又はプラスチックの材料で作られており、高い硬度を有しているため、手触り及び審美的テクスチャに悪影響を及ぼしている。
【０００４】
従って、改良された手触り及び改良された審美的テクスチャを有する改善されたハンドレールを提供する必要がある。
【発明の概要】
【発明が解決しようとする課題】
【０００５】
上述の問題を解決するための、ハンドレール、ハンドレールを有するチャイルドキャリア、及びハンドレールを製造する方法を提供することが本発明の目的である。
【課題を解決するための手段】
【０００６】
上述の目的を達成するために、本発明は、ハンドレールを開示する。当該ハンドレールは、ハンドレール本体と、第１材料層と、第２材料層とを含む。第１材料層は、ハンドレール本体の第１側面上に配置される。第２材料層は、ハンドレール本体の第２側面上に配置され、第２材料層の２つの端は、第１材料層の２つの端にそれぞれ接続されて、ハンドレール本体を覆う。
【０００７】
本発明の一実施形態によると、好ましくは、第１材料層は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料で作られる。
【０００８】
本発明の一実施形態によると、好ましくは、第２材料層は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料で作られる。
【０００９】
本発明の一実施形態によると、好ましくは、ハンドレールは、第１材料層とハンドレール本体との間に配置されたフィラー層をさらに含む。
【００１０】
本発明の一実施形態によると、好ましくは、フィラー層は、フォーム（ｆｏａｍ）又はシリコーンゴムで作られる。
【００１１】
本発明の一実施形態によると、好ましくは、ハンドレール本体は、支持部分と、支持部分の両端からそれぞれ曲げられた２つの接続部分とを含む。
【００１２】
本発明の一実施形態によると、好ましくは、第１材料層は、接続部分と支持部分との接続部に位置する少なくとも１つのドレープ部分を含む。
【００１３】
本発明の一実施形態によると、好ましくは、ドレープ部分は、ステッチを縫うこと（ｓｅｗｉｎｇ  ｓｔｉｔｃｈｅｓ）によって形成される。
【００１４】
上述の目的を達成するために、本発明は、上述のハンドレールを含むチャイルドキャリアをさらに開示する。
【００１５】
上述の目的を達成するために、本発明は、ハンドレールを製造する方法をさらに開示する。当該方法は、ハンドレールスリーブを形成するために第１材料層及び第２材料層を縫い合わせるステップ；ハンドレールスリーブでハンドレールのハンドレール本体を覆うステップ；及び、第１材料層及び第２材料層を、ハンドレール本体の第１側面及び第２側面にそれぞれ置くステップ；を含む。
【００１６】
本発明の一実施形態によると、好ましくは、当該方法は、第１材料層及び第２材料層を縫い合わせる前に、第１材料層の一側面上にフィラー層を縫うステップをさらに含む。
【００１７】
本発明の一実施形態によると、好ましくは、当該方法は、フォーム又はシリコーンゴムによってフィラー層を形成するステップをさらに含む。
【００１８】
本発明の一実施形態によると、好ましくは、当該方法は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料によって第１材料層を形成するステップをさらに含む。
【００１９】
本発明の一実施形態によると、好ましくは、当該方法は、レザー、ポリウレタン（ＰＵ）、ポリ塩化ビニル（ＰＶＣ）、ポリエステル、弾性繊維、ポリアミド繊維、コットン、リネン、絹、ニット生地、及びレーヨンのうち少なくとも１つを含む材料によって第２材料層を形成するステップをさらに含む。
【００２０】
本発明の一実施形態によると、好ましくは、当該方法は、支持部分と、支持部分の両端から曲げられた２つの接続部分とを含むハンドレール本体を形成するステップをさらに含む。
【００２１】
本発明の一実施形態によると、好ましくは、当該方法は、接続部分と支持部分との接続部に位置する第１材料層の少なくとも１つのドレープ部分を形成するステップをさらに含む。
【００２２】
本発明の一実施形態によると、好ましくは、当該方法は、ドレープ部分を形成するために、第１材料層をステッチで縫うステップをさらに含む。
【００２３】
本発明の一実施形態によると、好ましくは、ハンドレールスリーブでハンドレールのハンドレール本体を覆うステップは、ハンドレールスリーブを裏返しにひっくり返して、ひっくり返したハンドレールスリーブでハンドレールのハンドレール本体を覆うことを含む。
【００２４】
要約すると、本発明では、ハンドレール本体の両側面に配置され、共にハンドレール本体を覆う第１材料層及び第２材料層は、異なる手触り及び異なる審美的テクスチャを提供することができ、これによって、審美的外観及び機能性が高められ、実用的な要求が満たされる。
【００２５】
本発明の上記及び他の目的は、様々な図及び図面において例示されている好ましい実施形態の以下の詳細な説明を読んだ後に、疑いなく当業者には明らかになる。
【図面の簡単な説明】
【００２６】
【図１】本発明の一実施形態によるチャイルドキャリアの概略図である。
【図２】本発明の実施形態による、図３とは異なる観点でハンドレールを示した図である。
【図３】本発明の実施形態による、図２とは異なる観点でハンドレールを示した図である。
【図４】本発明の実施形態による、図３において示されているＡ−Ａ線に沿ったハンドレールの断面図である。
【発明を実施するための形態】
【００２７】
以下の好ましい実施形態の詳細な説明においては、本明細書の一部を形成し、本発明を実施することができる例示的な特定の実施形態として示されている付随の図面が参照される。これに関して、「上部」、「底部」、「表」、「裏」等の方向性の用語が、記載されている１つ又は複数の図の向きに関して使用される。本発明の構成要素は、多くの異なる向きで置くことができる。そのようなものとして、方向性の用語は、例示の目的で使用され、決して限定的なものではない。従って、図面及び説明は、本質的に例示的であるとみなされ、限定的であるとはみなされない。
【００２８】
図１を参照されたい。図１は、本発明の一実施形態によるチャイルドキャリア１００の概略図である。図１において示されているように、チャイルドキャリア１００は、フレーム構造を有するキャリア本体１０と、キャリア本体１０に接続されるハンドレール２０とを含む。この実施形態では、チャイルドキャリア１００はベビーカーであってもよく、ハンドレール２０は、キャリア本体１０に取り外し可能に取り付けることができるが、この実施形態に限定されない。例えば、別の実施形態では、チャイルドキャリアは、チャイルドチェア又はチャイルドカーシートであってもよく、ハンドレールは、キャリア本体上に固定して又は移動できるように配置することができる。
【００２９】
具体的には、図２及び図３を参照されたい。図２及び図３は、本発明の実施形態による、異なる観点のハンドレール２０の図である。図２及び図３において示されているように、ハンドレール２０は、ハンドレール本体２１と、第１材料層３１と、第２材料層３３とを含む。第１材料層３１は、ハンドレール本体２１の第１側面上に配置され、第２材料層３３は、ハンドレール本体２１の第２側面上に配置される。第１側面及び第２側面は、向かい合っていてもよい。第１材料層３１の２つの端は、第２材料層３３の２つの端にそれぞれ接続されて、協同的にハンドレール本体２１を覆う。この実施形態では、ハンドレール本体２１の第１側面は、キャリア本体１０に向かって面するハンドレール本体２１の内側であってもよく、ハンドレール本体２１の第２側面は、ハンドレール本体２１の第１側面とは反対であり、キャリア本体１０から離れたハンドレール本体２１の外側であってもよい。詳細には、第１材料層３１及び第２材料層３３は、縫うことによって互いに接続させて、ハンドレールスリーブ３０を形成することができる。その後、ハンドレール本体２１は、ハンドレールスリーブ３０で覆うことができ、第１材料層３１及び第２材料層３３は、ハンドレール本体２１の第１側面、すなわち内側、及び、第２側面、すなわち外側にそれぞれ位置させることができる。或いは、ハンドレールスリーブ３０が、第１材料層３１及び第２材料層３３を縫い合わせることによって形成された後、縫い糸を隠すために、ハンドレールスリーブ３０を裏返しにひっくり返して、ひっくり返したハンドレールスリーブ３０でハンドレール本体２１を覆うことができる。
【００３０】
さらに、第１材料層３１は、レザー、ポリウレタン（ＰＵ）、ポリ塩化ビニル（ＰＶＣ）、ポリエステル、弾性繊維、ポリアミド繊維、コットン、リネン、絹、ニット生地、レーヨン、及びその混合物のうち少なくとも１つを含む材料で作ることができる。第２材料層３３は、レザー、ポリウレタン（ＰＵ）、ポリ塩化ビニル（ＰＶＣ）、ポリエステル、弾性繊維、ポリアミド繊維、コットン、リネン、絹、ニット生地、レーヨン、及びその混合物のうち少なくとも１つを含む材料で作ることができる。第２材料層３３の材料は、第１材料層３１の材料とは異なる。この実施形態において、第１材料層３１の材料は、好ましくは、ニット生地が柔らかいテクスチャ、通気、吸湿、蒸散、保温等の特徴を有するため、ニット生地であり得る。一方で、第２材料層３３の材料は、好ましくは、外観テクスチャを改良するためにレザーであり得る。言い換えると、ニット生地とレザーとの組み合わせで作られたハンドレールスリーブ３０は、手触りだけでなく、外観テクスチャも改良する。
【００３１】
図４を参照されたい。図４は、本発明の実施形態による、図３において示されているＡ−Ａ線に沿ったハンドレール２０の断面図である。図４において示されているように、ハンドレール２０は、第１材料層３１とハンドレール本体２１との間に配置されたフィラー層３５をさらに含む。この実施形態では、ハンドレールスリーブ３０がハンドレール本体２１を覆う場合にフィラー層３５が第１材料層３１とハンドレール本体２１との間に位置するように、フィラー層３５を、第１材料層３１と第２材料層３３を縫い合わせてハンドレールスリーブ３０を形成する前に縫うことによって、第１材料層３１の内側に取り付けることができる。フィラー層３５は、第１材料層３１により多くの支持を提供して、子供又は介護者が第１材料層３１を触るときの手触りを改良する。具体的には、フィラー層３５は、フォーム又はシリコーンゴムで作ることができる。この実施形態では、フィラー層３５は、好ましくは、柔らかく快適な手触り等、手触りを改良するために、フォームで作ることができる。
【００３２】
しかし、本発明はこの実施形態に限定されない。フィラー層３５は、第１材料層３１及び第２材料層３３が縫い合わされてハンドレールスリーブ３０を形成する前に縫うことによって、第１材料層３１の外側に取り付けることができる。第１材料層３１と第２材料層３３が縫い合わされてハンドレールスリーブ３０を形成した後で、ハンドレールスリーブ３０を裏返しにひっくり返して、縫い糸を隠す、及び、ハンドレールスリーブ３０の内側にフィラー層３５を位置づけることができる。
【００３３】
図２及び図３において示されているように、ハンドレール本体２１は、支持部分２１１と、支持部分２１１の両端から曲げられた２つの接続部分２１３とを含む。それぞれの接続部分２１３は、キャリア本体１０を接続するためのものである。支持部分２１１及び２つの接続部分２１３がハンドレールスリーブ３０で覆われると、支持部分２１１と接続部分２１３との接続部に対応する位置に置かれる第１材料層３１の一部が折り重ねられ、第１材料層３１の表面を不均等にさせる。この状況を改善するために、第１材料層３１は、ステッチを縫うことによって形成され、支持部分２１１と接続部分２１３との接続部に対応する位置に置かれる少なくとも１つのドレープ部分３１１をさらに含み、少なくとも１つのドレープ部分３１１内に、支持部分２１１と接続部分２１３との接続部に対応する第１材料層３１の表面の不均等な部分を位置づけて、第１材料層３１の表面の他の部分を、外観テクスチャ及び手触りを改良するために均一に保つようにしている。この実施形態では、２つの対称なドレープ部分３１１が、支持部分２１１と２つの接続部分２１３との２つの接続部に対応する位置に置かれるが、この実施形態に限定されない。例えば、別の実施形態では、１つのドレープ部分のみが、支持部分と２つの接続部分の２つの接続部のうち１つに対応する位置に置かれてもよい。
【００３４】
従来技術とは対照的に、本発明では、ハンドレール本体の２つの側面上に配置され、共にハンドレール本体を覆う第１材料層及び第２材料層は、異なる手触り及び異なる審美的テクスチャを提供することができ、これによって、審美的外観及び機能性が高められ、実用的な要求が満たされる。
【００３５】
当業者は、本発明の教示を保持しながら、装置及び方法の数多くの修正及び変更を行うことができるということを容易に認めることになる。従って、上記の開示は、付随の特許請求の範囲の保護の境界（ｍｅｔｅｓ  ａｎｄ  ｂｏｕｎｄｓ）によってのみ限定されるとして解釈されるべきである。
【図１】
2020117213.tif 000003
【図２】
2020117213.tif 000004
【図３】
2020117213.tif 000005
【図４】
2020117213.tif 000006
【外国語明細書】
2020117213000001.pdf